(57)【要約】【課題】自動車の車室内外の監視状態を画像情報によって利用者に提供することができ、かつ自動車内に設置するためにより適した構成を有するカーセキュリティ装置を提供する。【解決手段】自動車１００の車室内、車室外又はその両方の画像を撮影するカメラ１３と、携帯端末３０からカメラ１３が撮影した画像を示す画像情報の送信を指示する送信指示情報を受信する通信装置１４と、通信装置１４が送信指示情報を受信した場合にカメラ１３が撮影した画像を示す画像情報を通信装置１４によって送信させる制御装置１５とを備えるカーセキュリティ装置１である。【選択図】            図１
2004289625.tif 000002
【特許請求の範囲】
【請求項１】
車室内、車室外又はその両方の画像を撮影する画像撮影手段と、
画像撮影手段が撮影した画像を示す画像情報の送信を指示する送信指示情報を受信する通信手段と、
通信手段が送信指示情報を受信した場合に画像撮影手段が撮影した画像を示す画像情報を通信手段によって送信させる制御手段とを備えることを特徴とするカーセキュリティ装置。
【請求項２】
車室内、車室外又はその両方の状態変化を検知する検知手段と、
車室内、車室外又はその両方の画像を撮影する画像撮影手段と、
画像撮影手段が撮影した画像を示す画像情報を所定の送信先に送信するための通信手段と、
検知手段が所定の状態変化を検知した場合に画像撮影手段が撮影した画像を示す画像情報を通信手段によって送信させる制御手段とを備えることを特徴とするカーセキュリティ装置。
【請求項３】
車室内、車室外又はその両方に音信号を出力する音信号出力手段を備え、
前記通信手段が音信号出力手段で出力すべき音信号を示す音信号出力情報を受信する機能を有し、
前記制御手段が前記通信手段が受信した音信号出力情報に応じて音信号出力手段から音信号を出力させることを特徴とする請求項１又は２記載のカーセキュリティ装置。
【請求項４】
ネットワーク上に設けられたサーバと自動車に設置されたカーセキュリティ装置とを備えるシステムであって、
カーセキュリティ装置が、車室内、車室外又はその両方の画像を撮影する画像撮影手段と、画像撮影手段が撮影した画像を示す画像情報をサーバに送信するための通信手段と、画像撮影手段が撮影した画像を示す画像情報を通信手段によってサーバに対して送信させる制御手段とを有し、
サーバが、前記カーセキュリティ装置が送信した画像情報を受信及び蓄積し、あらかじめ登録した情報処理端末に対して蓄積した画像情報を提供することを特徴とするカーセキュリティシステム。
【請求項５】
車室内、車室外又はその両方の画像を撮影する画像撮影手段と、
画像撮影手段が撮影した画像を示す画像情報の送信を指示する送信指示情報を受信する通信手段とを用い、
通信手段が送信指示情報を受信した場合に画像撮影手段が撮影した画像を示す画像情報を通信手段によって送信させることを特徴とするカーセキュリティ方法。
【請求項６】
車室内、車室外又はその両方の状態変化を検知する検知手段と、
車室内、車室外又はその両方の画像を撮影する画像撮影手段と、
画像撮影手段が撮影した画像を示す画像情報を所定の送信先に送信するための通信手段とを用い、
検知手段が所定の状態変化を検知した場合に画像撮影手段が撮影した画像を示す画像情報を通信手段によって送信させることを特徴とするカーセキュリティ方法。
【発明の詳細な説明】
【０００１】
【発明の属する技術分野】
本発明は、自動車の盗難やいたずらを防止するために用いて好適なカーセキュリティ装置、カーセキュリティシステム及びカーセキュリティ方法に関する。
【０００２】
【従来の技術】
従来のカーセキュリティ装置には、利用者が、移動体無線装置を用いて自動車の状態を遠隔監視できるようにしたものがある（例えば、特許文献１参照）。このような装置では、検知された監視情報が、文字情報や音声情報として利用者の移動体端末へと送信されるようになっていた。
【０００３】
一方、自動車以外でペット等の監視を行うための従来のシステムには、監視対象の画像情報が通信網を介して利用者に提供されるものがある（例えば、特許文献２参照）。このような装置では、監視対象の画像が静止画像や動画像で転送されるほか、利用者が発した音声が監視対象に対して設けられたスピーカから発生されるようになっている。
【０００４】
【特許文献１】
特開２００１−３４１６１８号公報（第６頁、第９図）
【特許文献２】
特開２００２−３５１９７２号公報（第４頁、第１図）
【発明が解決しようとする課題】
上述したように、特許文献１の図６に示すカーセキュリティ装置では、監視対象の状態が文字や音声情報で伝えられる。そのため、例えば、利用者が、いたずらをしようとしている人物がどのような格好をしているのかといった個別具体的な事項までをも把握することは難しかった。
【０００５】
一方、特許文献２の図１に示す監視システムでは、監視対象の状態が画像情報として利用者に提供される。したがって、利用者は、監視対象における不測の状態変化をより的確に把握することができる。しかしながら、このシステムは屋内に設置されることを前提とした構成となっている。そのため、例えば自動車に搭載されるようなシステムとしての最適化は図られていない。すなわち、例えばシステムの作動電力を容易には低減させることができないという課題があった。
【０００６】
本発明は、このような事情に鑑みてなされたもので、自動車の車室内外の監視状態を画像情報によって利用者に提供することができ、かつ自動車内に設置するためにより適した構成を有するカーセキュリティ装置、システム及び方法を提供することを目的とする。
【０００７】
【課題を解決するための手段】
上記課題を解決するための、本発明のカーセキュリティ装置の一の態様は、車室内、車室外又はその両方の画像を撮影する画像撮影手段と、画像撮影手段が撮影した画像を示す画像情報の送信を指示する送信指示情報を受信する通信手段と、通信手段が送信指示情報を受信した場合に画像撮影手段が撮影した画像を示す画像情報を通信手段によって送信させる制御手段とを備えることを特徴とする。
この構成によれば、通信手段が送信指示情報を受信した場合に画像撮影手段によって撮影を行われるとともにその画像情報が通信手段によって送信されるので、撮影手段、通信手段や制御手段の動作時間を容易に制限することが可能となる。
すなわち、装置の消費電力を容易に低減することができる。
【０００８】
本発明のカーセキュリティ装置の他の態様は、車室内、車室外又はその両方の状態変化を検知する検知手段と、車室内、車室外又はその両方の画像を撮影する画像撮影手段と、画像撮影手段が撮影した画像を示す画像情報を所定の送信先に送信するための通信手段と、検知手段が所定の状態変化を検知した場合に画像撮影手段が撮影した画像を示す画像情報を通信手段によって送信させる制御手段とを備えることを特徴とする。この構成によれば、検知手段が所定の状態変化を検知した場合に画像撮影手段によって撮影を行われるとともにその画像情報が通信手段によって送信されるので、撮影手段、通信手段や制御手段の動作時間を容易に制限することが可能となる。すなわち、装置の消費電力を容易に低減することができる。
【０００９】
また、本発明は、車室内、車室外又はその両方に音信号を出力する音信号出力手段を備え、前記通信手段が音信号出力手段で出力すべき音信号を示す音信号出力情報を受信する機能を有し、前記制御手段が前記通信手段が受信した音信号出力情報に応じて音信号出力手段から音信号を出力させることを特徴とする。この構成によれば、車室内外のスピーカ等の音信号出力手段から、利用者が指示する音声、警報音等の音信号を出力することができる。例えば音信号の内容を画像情報に合わせて決定することで、より適切な警報や警告を行うことができる。
【００１０】
また、本発明のカーセキュリティシステムは、ネットワーク上に設けられたサーバと自動車に設置されたカーセキュリティ装置とを備えるシステムであって、カーセキュリティ装置が、車室内、車室外又はその両方の画像を撮影する画像撮影手段と、画像撮影手段が撮影した画像を示す画像情報をサーバに送信するための通信手段と、画像撮影手段が撮影した画像を示す画像情報を通信手段によってサーバに対して送信させる制御手段とを有し、サーバが、前記カーセキュリティ装置が送信した画像情報を受信及び蓄積し、あらかじめ登録した情報処理端末に対して蓄積した画像情報を提供することを特徴とする。この構成によれば、例えば、送信指示情報を受信した場合、検知手段が所定の状態変化を検知した場合、所定の時刻に達した場合等に、画像撮影手段が撮影した画像を通信手段によってサーバに送信し、サーバで蓄積するようにすることができる。これによれば、撮影手段、通信手段や制御手段の動作を容易に制限することが可能となる。すなわち、装置の消費電力を容易に低減することができる。
【００１１】
また、本発明のカーセキュリティ方法の一の態様は、車室内、車室外又はその両方の画像を撮影する画像撮影手段と、画像撮影手段が撮影した画像を示す画像情報の送信を指示する送信指示情報を受信する通信手段とを用い、通信手段が送信指示情報を受信した場合に画像撮影手段が撮影した画像を示す画像情報を通信手段によって送信させることを特徴とする。また、本発明のカーセキュリティ方法の他の態様は、車室内、車室外又はその両方の状態変化を検知する検知手段と、車室内、車室外又はその両方の画像を撮影する画像撮影手段と、画像撮影手段が撮影した画像を示す画像情報を所定の送信先に送信するための通信手段とを用い、検知手段が所定の状態変化を検知した場合に画像撮影手段が撮影した画像を示す画像情報を通信手段によって送信させることを特徴とする。これらの構成によれば、撮影手段、通信手段や制御手段の動作時間を容易に制限することができ、装置の消費電力を容易に低減することができる。
【００１２】
【発明の実施の形態】
以下、本発明のカーセキュリティ装置の一実施の形態を図面を参照して説明する。図１に示す例では、本発明のカーセキュリティ装置１に対して、携帯電話通信網やパケット通信網からなる無線通信網２０を介して、利用者の携帯端末３０が接続できるようになっている。無線通信網２０には、また、インターネット等の通信網４０を介して、情報処理サーバ５０が接続されている。そして、この情報処理サーバ５０には、画像情報を蓄積するための画像データベース６０が接続されている。
【００１３】
カーセキュリティ装置１は、自動車１００に搭載され、自動車１００のバッテリ等を電源として作動する装置である。カーセキュリティ装置１は、検知器１１、スピーカ１２、カメラ１３、通信装置１４、および制御装置１５から構成されている。図１では、カーセキュリティ装置１と、携帯端末３０を各１台のみ示しているが、それらの装置は１または複数台設けることができる。ただし、各カーセキュリティ装置１は、１または複数の携帯端末３０を用いて、所定の接続制限機能（認証機能）によって、あらかじめ登録した利用者のみが接続できるようになっている。
【００１４】
検知器１１は、自動車１００の車室内、車室外またはその両方の状態変化を検知する検知手段である。検知器１１は、赤外線センサー、振動センサー、光センサー、電圧・電流センサー等のセンサーを１または複数組組み合わせて構成されている。例えば赤外線センサーによって車室内での人の存在を検知したり、振動センサーによってドアや窓、車体に対する衝撃を検知したりすることができる。
また、光センサーによって車室内外の明るさを検知したり、電圧・電流センサーによって自動車１００のバッテリや電気負荷の作動状態を検知したりすることができる。各センサーは、バッテリー等を電源としてセンサー単独で動作して検知結果を制御装置１５に対して出力するものであってもよいし、制御装置１５によって制御あるいは所定の電源を供給されることで検知結果を出力するものであってもよい。
【００１５】
スピーカ１２は、車室内、車室外またはその両方に音信号を出力する音信号出力手段を構成する。スピーカ１２は、１または複数のスピーカから構成されていて、各スピーカは自動車１００の車室内や、車室外に対して開口部が設けられている部分、あるいは車室外に設置されている。車室外への開口部が設けられている部分とは、自動車１００の警音器（クラクション）の設置場所等、ボンネット等の雨風に対する遮蔽物内で自動車１００の前部の飾り格子（グリル）に面する位置等である。例えば車室外への開口部にスピーカ１２を設置し、スピーカ１２から音声等を出力することで、車室外でいたずら等を行おうとしている者に対して警告を行うことができる。このスピーカ１２は制御装置１５から出力された音信号を出力する。
【００１６】
カメラ１３は、車室内、車室外またはその両方の画像を撮影する画像撮影手段である。カメラ１３は、ＣＣＤ（電荷結合素子）等の撮像素子を用いて静止画像や動画像を撮影するカメラである。カメラ１３は、制御装置１５によって作動状態と非作動状態とが制御され、車室内または車室外に設置されて車室内外の画像を撮影し、撮影した画像を制御装置１５に転送する。
【００１７】
通信装置１４は、無線通信網２０に対する通信装置であって、無線通信網２０の規格に従ってデータ通信や音声通話を行う機能を有している。通信装置１４は、制御装置１５に挿入接続されるカード型の通信装置や、ケーブル接続される携帯型の通信装置として構成することができる。この例では、通信装置１４によって、制御装置１５の制御の下、カメラ１３が撮影した画像を示す画像情報を携帯端末３０、情報処理サーバ５０等の所定の送信先に送信する機能と、携帯端末３０、情報処理サーバ５０等の外部の装置から画像情報の送信を指示する送信指示情報を受信する機能と、スピーカ１２で出力すべき音信号を示す音信号出力情報を受信する機能とが実現される。
【００１８】
画像情報を送信する機能は、例えば、携帯端末３０に対して電子メールの添付ファイルとして画像情報を送信したり、情報処理サーバ５０の所定のＵＲＬ（Ｕｎｉｆｏｒｍ  Ｒｅｓｏｕｒｃｅ  ｌｏｃａｔｏｒ）に画像情報をアップロードしたりすることで実現される。送信指示情報を受信する機能は、例えば、携帯端末３０や情報処理サーバ５０から所定の文字情報を書き込んだ電子メールを受信することで、あるいは、制御装置１５内で実行されたサーバアプリケーションに携帯端末３０や情報処理サーバ５０から所定のアクセスを行うことで実現される。
【００１９】
スピーカ１２で出力する音信号出力情報を受信する機能は、例えば、携帯端末３０と通信装置１４とを音声通話状態で接続して携帯端末３０で利用者が発した音声を音信号出力情報として受信することで実現される。この通話音声は、制御装置１５等で増幅してスピーカ１２から出力する。あるいは、携帯端末３０や情報処理サーバ５０から送られてきた電子メール等を用い、その電子メールに記述された文字情報（テキスト情報）や符号情報を音信号出力情報として受信することで実現される。この場合、音信号出力情報に基づいて音声合成処理で音信号が生成されてスピーカ１２から出力される。例えば、文字情報に従って合成された音声信号や、あらかじめ決められた警告音や、声優等が録音した定形の音声が出力される。
【００２０】
制御装置１５は、所定のプログラムによって制御されるコンピュータとその周辺装置とから構成され、検知器１１、スピーカ１２、カメラ１３、および通信装置１４の各部を制御する。制御装置１５は、通信装置１４を用いて画像情報の送信指示を受信する機能と、カメラ１２が撮影した静止画像や動画像を所定の形式の画像情報に変換して通信装置１４によって送信させる機能とを有している。制御装置１５は、また、検知器１１が所定の状態変化を検知した場合にそれを検出する機能と、通信装置１４が受信した音信号出力情報に応じてスピーカ１２から音信号を出力させる機能とを有している。
【００２１】
また、この実施の形態では制御装置１５が、通常モードと、待機モードの２つの動作モードで動作可能である。通常モードとは、制御装置１５の通常のすべての機能を実行可能な状態である。通常モードでは、例えば画像情報の形式変換や、無線通信網２０に対して通信装置１４を用いてデータの送受信を行うことができる。一方、待機モードは、制御装置１５を通常モードへ移行させるための機能以外を停止した動作状態である。待機モードでは、通信装置１４から通常モードへの移行要求を受け付けたり、検知器１１から所定の状態変化を検知したときに出力される移行要求を受け付けたり、検知器１１に対して検知に用いる最低限の動作電流を供給したりする。
【００２２】
一方、携帯端末３０は、携帯電話やパケット通信電話あるいは携帯電話やパケット通信電話の通信機能を有する通信装置と携帯情報端末との組み合わせからなる端末である。利用者は、携帯端末３０を用いて、通信装置１４その他の無線または有線端末との間で音声通話を行ったり、電子メールを送受信したり、情報処理処理サーバ５０や制御装置１５によって提供されるサーバ機能にアクセスしてデータ通信を行ったりする。
【００２３】
情報処理サーバ５０は、所定のプログラムによって制御されるコンピュータとその周辺装置とから構成され、通信装置１４から送信されてきた画像情報を画像データベース６０に蓄積したり、無線通信網２０および通信網４０を介して通信装置１４や携帯端末３０とデータ通信を行ったりする。情報処理サーバ５０は、各通信装置１４に対して画像情報のアップロード先ＵＲＬをそれぞれ設定したり、あらかじめ登録した複数の携帯端末３０からのその画像情報へのアクセスを制御したりする。情報処理サーバ５０は、また、携帯端末３０によって入力された文字情報や選択された符号情報を音信号出力情報として通信装置１４に転送する機能を有している。
【００２４】
次に、図１に示す構成の動作例について図２〜図４を参照して説明する。ここでは（１）情報処理サーバ５０を介さずに画像情報を転送する場合、（２）情報処理サーバ５０を介して画像情報を転送する場合、および（３）カーセキュリティ装置１で状態変化を検知した場合に画像情報を転送するときの３つの例について説明する。
【００２５】
まず、情報処理サーバ５０を介さずにカーセキュリティ装置１から携帯端末３０に対して画像情報を転送する場合について、図２を参照して説明する。ここで、図２および次の図３に示す例は、利用者が画像情報の送信を要求した場合に、それを契機としてカーセキュリティ装置１を動作させて画像を撮影するものである。
【００２６】
まず、携帯端末３０から通信装置１４に接続し、画像情報送信要求を行う（Ｓ１１）。この処理は例えば、携帯端末３０から、通信装置１４に対して、図示していないメールサーバを介して通信装置１４に設定されている電子メールアドレスに対して電子メールを送信することで行ったり、通信装置１４の音声通話用の電話番号に直接発呼することで行ったりすることができる。
【００２７】
通信装置１４は、画像情報送信要求を受信すると、制御装置１５に対して起動要求を出力する（Ｓ１２）。起動要求によって出力される信号は、待機モードにある制御装置１５を、通常モードに移行させるための信号である。制御装置１５は、待機モードから通常モードに移行すると、起動確認信号を通信装置１４に送信する（Ｓ１３）。通信装置１４は、制御装置１５に受信した画像情報送信要求を転送する（Ｓ１４）。
【００２８】
制御装置１５は、画像情報送信要求を受信すると、受信した画像情報送信要求に含まれる認証符号やパスワード、あるいは発信者番号を確認し、問題がなければカメラ１３に起動要求を出力する（Ｓ１５）。この起動要求出力処理は、カメラ１３に所定の制御信号を出力する処理であったり、あるいは電源を供給する処理であったりする。カメラ１３は、作動を開始すると、起動確認を出力する（Ｓ１６）。制御装置１５は、次に画像情報撮影要求を行う（Ｓ１７）。カメラ１３は、画像（１または複数の静止画あるいは所定時間の動画）を撮影し、撮影した画像情報を制御装置１５に転送する（Ｓ１８）。
【００２９】
制御装置１５は、転送されてきた画像情報を所定の形式に変換し（例えば携帯端末３０で受信および再生可能な形式の画像情報に変換し）、送信先アドレスを指定して通信装置１４に送信指示を行う（Ｓ１９）。通信装置１４は、指示された画像情報を添付した電子メールを、携帯端末３０に向けて送信する（Ｓ２０）。一方、カメラ１３は、撮影後、所定時間が経過すると、作動待機状態（非作動状態）となる（Ｓ２１）。また、制御装置１５も、通信装置１４に対して画像情報の送信指示が正常に出力されたことを確認すると、作動待機状態（待機モード）となる（Ｓ２２）。
【００３０】
携帯端末３０に対しては、所定のメールサーバによって通信装置１４から送信された画像情報が添付された電子メールが送信される。利用者は、携帯端末３０で受信した電子メールに添付された画像情報を確認し、必要に応じて、通信装置１４に対して音声通話を行う（Ｓ２３）。音声通話の呼び出し信号を受信した通信装置１４は、制御装置１５に起動要求を出力する（Ｓ２４）。起動要求によって通常モードに移行した制御装置１５は、例えば、呼び出し元の携帯端末３０の発信者番号等を確認し、問題がなければ通信装置１４で受信した音声信号を増幅してスピーカ１２から出力する。ここで、利用者が携帯端末３０のマイクロフォンに対して発した音声が、スピーカ１２から出力されることになる。
【００３１】
次に、情報処理サーバ５０を介して、カーセキュリティ装置１から携帯端末３０に対して画像情報を転送する場合について、図３を参照して説明する。この例では、まず、携帯端末３０から情報処理サーバ５０に接続し、画像情報の問い合わせを行う（Ｓ１０１）。例えば情報処理サーバ５０によって提供されている所定のホームページにアクセスし、認証処理等を行った後、所定のページにて登録したカーセキュリティ装置１の画像閲覧を要求する入力を行う。情報処理サーバ５０は、要求内容に問題がなければ、通信装置１４に接続し、画像情報送信要求を行う（Ｓ１０２）。
【００３２】
通信装置１４は、画像情報送信要求を受信すると、制御装置１５に対して起動要求を出力する（Ｓ１０３）。制御装置１５は、待機モードから通常モードに移行すると、起動確認信号を通信装置１４に送信する（Ｓ１０４）。通信装置１４は、制御装置１５に対して、受信した画像情報送信要求を転送する（Ｓ１０５）。
【００３３】
制御装置１５は、画像情報送信要求を受信すると、受信した画像情報送信要求に含まれる発信元のサーバ情報、認証符号やパスワードを確認し、問題がなければカメラ１３に起動要求を出力する（Ｓ１０６）。カメラ１３は、作動を開始すると、起動確認を出力する（Ｓ１０７）。制御装置１５は、次に画像情報撮影要求を行う（Ｓ１０８）。カメラ１３は、画像を撮影し、撮影した画像情報を制御装置１５に転送する（Ｓ１０９）。
【００３４】
制御装置１５は、転送されてきた画像情報を所定の形式に変換し、送信先アドレスに情報処理サーバ５０の所定のアドレスを指定して、通信装置１４に送信指示を行う（Ｓ１１０）。通信装置１４は、指示された画像情報を、情報処理サーバ５０に向けて送信する（アップロードする）（Ｓ１１１）。一方、カメラ１３は、撮影後、所定時間が経過すると、作動待機状態（非作動状態）となる（Ｓ１１２）。また、制御装置１５も、通信装置１４に対して画像情報の送信指示が正常に出力されたことを確認すると作動待機状態（待機モード）となる（Ｓ１１３）。
【００３５】
情報処理サーバ５０は、通信装置１４から受信した画像情報を画像データベース６０に蓄積した後、その画像情報へのアクセス先ＵＲＬを記述した電子メールを作成し、携帯端末３０を宛先として送信する（Ｓ１１４）。利用者は、携帯端末３０で電子メールを受信し、そこに記述されたアクセス先ＵＲＬにアクセスして、画像を閲覧する（Ｓ１１５）。ここで利用者は、必要に応じて、通信装置１４に対して音声通話を行う（Ｓ１１６）。音声通話の呼び出し信号を受信した通信装置１４は、制御装置１５に起動要求を出力する（Ｓ１１７）。起動要求によって通常モードに移行した制御装置１５は、例えば、呼び出し元の携帯端末３０の発信者番号等を確認し、問題がなければ通信装置１４で受信した音声信号を増幅してスピーカ１２から出力する。ここで、利用者が携帯端末３０のマイクロフォンに対して発した音声が、スピーカ１２から出力されることになる。
【００３６】
次に図４を参照して、カーセキュリティ装置１で状態変化を検知した場合に画像情報を自動的に転送する例について説明する。この場合、まず、検知器１１は、所定の状態変化を検知すると、制御装置１５に対して、状態変化検知信号を出力する（Ｓ２０１）。制御装置１５は、状態変化検知信号によって、待機モードから通常モードに移行し、カメラ１３に起動要求を出力する（Ｓ２０２）。カメラ１３は、作動を開始すると、起動確認を出力する（Ｓ２０３）。制御装置１５は、次に画像情報撮影要求を行う（Ｓ２０４）。カメラ１３は、画像を撮影し、撮影した画像情報を制御装置１５に転送する（Ｓ２０５）。
【００３７】
制御装置１５は、転送されてきた画像情報を所定の形式に変換し、送信先アドレスを指定して通信装置１４に送信指示を行う（Ｓ２０６）。通信装置１４は、指示された画像情報を添付した電子メールを、携帯端末３０に向けて送信する（Ｓ２０７）。一方、カメラ１３は、撮影後所定時間が経過すると、作動待機状態（非作動状態）となる（Ｓ２０８）。また、制御装置１５も、通信装置１４に対して画像情報の送信指示が正常に出力されたことを確認すると作動待機状態（待機モード）となる（Ｓ２０９）。
【００３８】
携帯端末３０に対しては、所定のメールサーバによって通信装置１４から送信された画像情報が添付された電子メールが送信される。利用者は、携帯端末３０で受信した電子メールを確認し、必要に応じて、通信装置１４に対して音声通話を行う（Ｓ２１０）。音声通話の呼び出し信号を受信した通信装置１４は、制御装置１５に起動要求を出力する（Ｓ２１１）。起動要求によって通常モードに移行した制御装置１５は、例えば、呼び出し元の携帯端末３０の発信者番号等を確認し、問題がなければ通信装置１４で受信した音声信号を増幅してスピーカ１２から出力する。ここで、利用者が携帯端末３０のマイクロフォンに対して発した音声が、スピーカ１２から出力されることになる。なお図４を参照して説明した動作例は、図３に示すような情報処理サーバ５０を介した動作例に変形する事も可能である。
【００３９】
以上のように、本実施の形態によれば、自動車の車室内外の監視状態を画像情報によって利用者に提供することができる。またカーセキュリティ装置１およびその周辺装置の動作を画像転送の際に限定することで、待機時の消費電力を低く抑えることができ、自動車内に設置するためにより適した構成を容易に得ることができる。
【００４０】
なお、図２〜図４を参照して説明した動作例では、スピーカ１２から発する音信号を、利用者が携帯端末３０で発した音声信号としているが、制御装置１５や情報処理サーバ５０に音声合成機能を持たせて合成した音声信号や、あらかじめ録音しておいた音声波形データ、所定の繰り返し形態の警報音とすることもできる。その場合、例えば、発生する音声信号を、多国語対応としたり、特定の地域の方言としたりすることもできる。また、音声合成機能等を用いる場合には通信装置１５では音声通話機能を省略することが可能となる。
【００４１】
また、制御装置１５内に情報処理サーバ５０が有することとした機能の一部または全部を実行する機能を持たせるようにしたり、制御装置１５や情報処理サーバ５０が通信網４０に接続された図示してないパーソナルコンピュータ等の他の情報処理端末からのアクセスを受けるようにしたりすることができる。
【００４２】
なお、本実施の形態では、カーセキュリティ装置１や情報処理サーバ５０をコンピュータとそれを制御するプログラムとを用いて構成することができるが、そのプログラムは通信回線やコンピュータ読み取り可能な記録媒体を介して配付することができる。
【図面の簡単な説明】
【図１】本発明のカーセキュリティ装置１の構成を説明するためのブロック図。
【図２】図１の構成の動作例を示す処理手順図。
【図３】図１の構成の他の動作例を示す処理手順図。
【図４】図１の構成の他の動作例を示す処理手順図。
【符号の説明】
１  カーセキュリティ装置、１１  検知器、１２  スピーカ、１３  カメラ、１４  通信装置、１５  制御装置、３０  携帯端末、５０  情報処理サーバ、６０
画像データベース
【図１】
2004289625.tif 000003
【図２】
2004289625.tif 000004
【図３】
2004289625.tif 000005
【図４】
2004289625.tif 000006